(57)【特許請求の範囲】
【請求項１】
患部を撮影してその患部のリアルタイム画像信号を出力可能な患部撮影部と、
根管内位置測定部と、
前記根管内位置測定部により測定された根管内位置測定データを含めた診療中に変動する診療データを出力可能な診療データ出力部と、
前記患部撮影部から出力されるリアルタイム画像信号と前記診療データ出力部から出力される診療データとを、表示用の画像信号として出力可能な画像処理部と、
前記画像処理部から出力される表示用の画像信号に基づいて、前記患部のリアルタイム画像と前記診療データとを表示する表示部と、
を備え、
前記画像処理部と前記表示部とは、術者が、略同一視野範囲内で略同時に、前記患部のリアルタイム画像と前記診療データとを視認可能に表示するように構成された、診療表示装置。
【請求項２】
請求項１記載の診療表示装置であって、
前記画像処理部は、前記表示用の画像信号として、前記患部のリアルタイム画像と前記診療データとを重畳した画像信号を出力し、
前記表示部は、前記患部のリアルタイム画像と前記診療データとを重畳した画像を表示する、診療表示装置。
【請求項３】
請求項１記載の診療表示装置であって、
前記表示部は、術者の２つの目のそれぞれに向けて画像を表示する２つの画像表示装置を有し、前記２つの画像表示装置のうちの一方に、前記患部のリアルタイム画像が表示され、他方に前記診療データが表示される、診療表示装置。
【請求項４】
請求項１〜請求項３のいずれかに記載の診療表示装置であって、
治療器具駆動部をさらに備え、
前記診療データ出力部は、前記診療データとして、前記治療器具駆動部の駆動状態データを含むデータを出力する、診療表示装置。
【請求項５】
請求項４記載の診療表示装置であって、
前記治療器具駆動部の駆動状態データは、前記治療器具駆動部が駆動する治療器具に応じたデータであって、駆動出力値、トルク値、回転数、温度、駆動時間のうち少なくとも１つを含む、診療表示装置。
【請求項６】
請求項１〜請求項５のいずれかに記載の診療表示装置であって、
前記画像処理部は、前記診療データとしての前記根管内位置測定データに、予め設定された指令に基づく駆動停止位置及び駆動力低減位置のうち少なくとも一方を付加する、診療表示装置。
【請求項７】
請求項１〜請求項６のいずれかに記載の診療表示装置であって、
前記患部のＸ線画像データが前記画像処理部に予め入力され、
前記画像処理部は、前記患部のリアルタイム画像信号と前記診療データと前記患部のＸ線画像データとを、表示用の画像信号として出力し、
前記画像処理部と前記表示部とは、術者が、略同一視野範囲内で前記患部のリアルタイム画像と前記診療データと前記患部のＸ線画像データとを視認可能に表示するように構成された、診療表示装置。
【請求項８】
患部を撮影してその患部のリアルタイム画像信号を出力可能な患部撮影部と、
根管内位置測定部と、
前記根管内位置測定部により測定された根管内位置測定データを含めた診療中に変動する診療データを出力可能な診療データ出力部と、
前記患部撮影部から出力されるリアルタイム画像信号と前記診療データ出力部から出力される診療データとを、術者が、略同一視野範囲内で略同時に、前記患部のリアルタイム画像と前記診療データとを視認可能な表示用の画像信号として出力可能な画像処理部と、
を備えた診療装置。
【請求項９】
入力された患部のリアルタイム画像信号と、根管内位置測定データとを含む入力された診療中に変動する診療データとを、表示用の画像信号として出力可能な画像処理部と、
前記画像処理部から出力される表示用の画像信号に基づいて、前記患部のリアルタイム画像と前記診療データとを表示する表示部と、
を備え、
前記画像処理部と前記表示部とは、術者が、略同一視野範囲内で略同時に、前記患部のリアルタイム画像と前記診療データとを視認可能に表示するように構成された、診療用表示装置。
【発明の詳細な説明】
【技術分野】
【０００１】
この発明は、医科又は歯科の診療中に得られた情報を表示する技術に関する。
【背景技術】
【０００２】
従来、診療装置のひとつである歯科治療用の根管長測定器として、特許文献１や特許文献２に開示のものがある。
【０００３】
これらの特許文献では、治療前に撮影された患部のＸ線画像に、治療中における根管の切削拡大工具の先端位置である根管内位置データを重畳して表示する技術が開示されている。
【０００４】
根管内位置を表示する形式としては、アナログメータ表示形式や、液晶或はＬＥＤ等を用いたデジタル表示形式等がある。また、それら視認可能な表示に合わせて、音響により、例えば、切削拡大工具の先端が根尖位置に近づくにつれて断続音の間隔を狭めるといった報知を行う工夫もなされていた。
【０００５】
【特許文献１】実公平２−２５３７８号公報
【特許文献２】特開２００２−１１０２５号公報
【発明の開示】
【発明が解決しようとする課題】
【０００６】
ところで、患部の診療中において、術者は、患部の観察と、表示部に表示された診療データ、例えば根管内位置測定データの確認との双方を行う必要がある。すなわち、患部の観察は、患部に対する適切な診療及び治療用工具の適切な使用（患部の状況に応じた、或は患者の姿勢や状況に応じた、手指や工具の挿入角度や力加減の調整等）に必要である。また、診療データが例えば根管内位置測定データであれば、その確認は、治療用工具の先端が根管内のどの部分にあるかを認識するために必要である。
【０００７】
ところが、上記のいずれの従来技術においても、治療中の根管内位置測定データは、患部から離れた位置に設置された表示部に表示される。このため、術者は、患部と表示部との双方を観察するために、頻繁な視線の移動及び姿勢の変更が必要となり、診療効率の低下原因のひとつとなっていた。以上の問題点は、歯科の根管治療に限らず、例えば切削拡大器具の駆動状態を確認しながら耳の骨の切削を行う耳鼻咽喉科など、医科診療も含めた様々な分野で生じるものである。
【０００８】
なお、特許文献１及び２で表示される内容は、治療前に撮影された患部のＸ線画像にすぎず、当該画像からは診療中に必要とされる患部の状態をリアルタイムで認識することはできない。
【０００９】
そこで、本発明は、患部と診療データとの双方を効率よく視認できるようにすることを目的とする。
【課題を解決するための手段】
【００１０】
上記課題を解決するため、第１の態様に係る診療表示装置は、患部を撮影してその患部のリアルタイム画像信号を出力可能な患部撮影部と、根管内位置測定部と、前記根管内位置測定部により測定された根管内位置測定データを含めた診療中に変動する診療データを出力可能な診療データ出力部と、前記患部撮影部から出力されるリアルタイム画像信号と前記診療データ出力部から出力される診療データとを、表示用の画像信号として出力可能な画像処理部と、前記画像処理部から出力される表示用の画像信号に基づいて、前記患部のリアルタイム画像と前記診療データとを表示する表示部とを備え、前記画像処理部と前記表示部とは、術者が、略同一視野範囲内で略同時に、前記患部のリアルタイム画像と前記診療データとを視認可能に表示するように構成されたものである。ここでいう診療データとは、診断によって得られた診断データと治療器具等に関する治療データとを包含する概念であって、例えば、歯科の根管長測定という診断における根管長測定結果、歯科のマイクロモータによる根管拡大という治療におけるモータの回転数やトルク、歯科や医科の充填治療における充填用器具の温度、超音波線状という治療における超音波の出力、など、様々なデータを指す。
【００１２】
第２の態様は、第１の態様に係る診療表示装置であって、前記画像処理部は、前記表示用の画像信号として、前記患部のリアルタイム画像と前記診療データとを重畳した画像信号を出力し、前記表示部は、前記患部のリアルタイム画像と前記診療データとを重畳した画像を表示するものである。
【００１３】
第３の態様は、第１の態様に係る診療表示装置であって、前記表示部は、術者の２つの目のそれぞれに向けて画像を表示する２つの画像表示装置を有し、前記２つの画像表示装置のうちの一方に、前記患部のリアルタイム画像が表示され、他方に前記診療データが表示されるものである。
【００１７】
第４の態様は、第１〜第３のいずれかの態様に係る診療表示装置であって、治療器具駆動部をさらに備え、前記診療データ出力部は、前記診療データとして、前記治療器具駆動部の駆動状態データを含むデータを出力するものである。治療器具駆動部の駆動状態データとは、前述したモータの回転数やトルク、充填器具の温度、超音波治療器の出力といったデータである。
【００１９】
第５の態様は、第４の態様に係る診療表示装置であって、前記治療器具駆動部の駆動状態データは、駆動出力値、トルク値、回転数、温度、駆動時間のうち少なくとも１つを含むものである。
【００２０】
第６の態様は、第１〜第５のいずれかの態様に係る診療表示装置であって、前記画像処理部は、前記診療データとしての前記根管内位置測定データに、予め設定された指令に基づく駆動停止位置及び駆動力低減位置のうち少なくとも一方を付加するものである。
【００２１】
第７の態様に係る診療表示装置は、第１〜第６のいずれかの態様に係る診療表示装置であって、前記患部のＸ線画像データが前記画像処理部に予め入力され、前記画像処理部は、前記患部のリアルタイム画像信号と前記診療データと前記患部のＸ線画像データとを、表示用の画像信号として出力し、前記画像処理部と前記表示部とは、術者が、略同一視野範囲内で前記患部のリアルタイム画像と前記診療データと前記患部のＸ線画像データとを視認可能に表示するように構成されたものである。
【００２２】
第８の態様に係る診療装置は、患部を撮影してその患部のリアルタイム画像信号を出力可能な患部撮影部と、根管内位置測定部と、前記根管内位置測定部により測定された根管内位置測定データを含めた診療中に変動する診療データを出力可能な診療データ出力部と、前記患部撮影部から出力されるリアルタイム画像信号と前記診療データ出力部から出力される診療データとを、術者が、略同一視野範囲内で略同時に、前記患部のリアルタイム画像と前記診療データとを視認可能な表示用の画像信号として出力可能な画像処理部と、を備えたものである。
【００２３】
第９の態様に係る診療用表示装置は、入力された患部のリアルタイム画像信号と、根管内位置測定データとを含む入力された診療中に変動する診療データとを、表示用の画像信号として出力可能な画像処理部と、前記画像処理部から出力される表示用の画像信号に基づいて、前記患部のリアルタイム画像と前記診療データとを表示する表示部と、を備え、前記画像処理部と前記表示部とは、術者が、略同一視野範囲内で略同時に、前記患部のリアルタイム画像と前記診療データとを視認可能に表示するように構成されたものである。
【発明の効果】
【００２４】
この第１の態様に係る診療表示装置によると、前記画像処理部と前記表示部とは、術者が、略同一視野範囲内で前記患部のリアルタイム画像と前記診療データとを視認可能に表示するように構成されているため、患部と診療データとの双方を効率よく視認できる。
【００２５】
また、前記画像処理部と前記表示部とは、術者が、略同一視野範囲内で略同時に、前記患部のリアルタイム画像と前記診療データとを視認可能に表示するため、術者は、患部と診療データを略同時に視認でき、時々刻々と変化する診療環境を視覚的に容易に把握できる。
【００２６】
第２の態様に係る診療表示装置によると、術者は、前記患部のリアルタイム画像と前記診療データとを重畳した画像によって、患部と診療データとの双方を視認できるので、視線の移動などのストレスを感じることなく、総合的に診療環境を把握できる。
【００２７】
第３の態様によると、術者は、一方の片目で患部のリアルタイム画像を視認でき、他方の片目で前記診療データを視認できる。
【００２９】
第１の態様によると、術者は、患部のリアルタイム画像と共に、診療中に変動する診療データを認識することができる。このような変動するデータもその変動具合を瞬時に認識することができるので疲労感無く、安心して治療できる。
【００３０】
第１〜第９の態様によると、術者は、患部のリアルタイム画像と共に、根管内位置測定データを認識することができ、例えば、根管口の様子をリアルタイム画像で視認すると共に、切削工具の根管内位置を表示される測定データで確認することができる。具体的には、根管内の出血状況や根管の形態を確認しつつ、かつ、同時に切削工具の根管内位置も確認できるので、その状況に応じた判断を容易に下すことが可能となり、治療効率が向上するだけでなく、治療後も良好な予後を期待できる。
【００３１】
第４の態様によると、術者は、患部のリアルタイム画像と共に、治療器具駆動部の駆動状態データを認識することができる。
【００３２】
すなわち、第４の態様によると、術者は、患部のリアルタイム画像と共に、治療器具の根管内位置測定データ及び治療器具駆動部の駆動状態データを認識することができる。設定された駆動データと同時に、根管内位置のように、刻一刻、変動する重要データもその変動具合を瞬時にして認識することができるので、疲労感無く安心して治療することができる。
【００３３】
第５の態様によると、患部のリアルタイム画像と共に、駆動出力値、トルク値、回転数のうち少なくとも１つを認識することができ、より適切に、診療、例えば歯科の根管拡大診療を実施できる。
【００３４】
第６の態様によると、術者は、根管内位置に加えて、当該根管内における駆動停止位置及び駆動力低減位置のうち少なくとも一方を認識できるので、これを手がかりとして、概略の治療器具の移動量を把握できるので、より適切な根管拡大診療を実施できる。
【００３５】
第７の態様によると、術者は、患部のリアルタイム画像信号と前記診療データとに加えて、患部のＸ線画像データをも認識することができ、より適切な診療を実施できる。
【００３６】
この第８の態様に係る診療装置によると、画像処理部は、患部のリアルタイム画像信号と診療データとを、術者が、略同一視野範囲内で前記患部のリアルタイム画像と前記診療データとを視認可能な表示用の画像信号として出力するため、表示部で当該画像信号による表示を行わせることで、術者は、患部と診療データとの双方を効率よく視認できる。
【００３７】
この第９の態様に係る診療用表示装置によると、前記画像処理部と前記表示部とは、術者が、略同一視野範囲内で前記患部のリアルタイム画像と前記診療データとを視認可能に表示するように構成されているため、患部と診療データとの双方を効率よく視認できる。
【発明を実施するための最良の形態】
【００３８】
｛前提及び概要｝
実施形態を説明するにあたって、まず、適用対象となる生体の例として、歯の構成及び実施形態の概要について説明する。
【００３９】
図１は人間の歯の構造を示す断面図である。人間の歯５００は、口腔内に露出する歯冠部５０２と歯冠部５０２から延出する歯根部５１０とを有している。歯根部５１０の表面は、図示省略の歯根膜で覆われている。歯冠部５０２は、エナメル質５０３及び象牙質５０４等で構成されている。またこの歯冠部５０２内には、髄室５０７が形成されている。歯根部５１０は、象牙質５０４及びセメント質５０６等で構成されており、歯槽骨５２０及び歯肉５２２で支えられている。歯根部５１０内には、その延在方向に沿って延びる根管５１２が形成されている。上記歯冠部５０２及び歯根部５１０内の歯髄５０８及び５１４は、歯槽骨５２０下の血管や神経に繋がっている。歯根部５１０のうち歯槽骨５２０側の最先端部が根尖５１１（ＡＰＥＸ）と呼ばれ、根尖５１１の歯槽骨５２０側の開口が根尖孔と呼ばれる。
【００４０】
このような歯に対する診療としては、例えば、根管拡大等の種々の作業が行われる。このような作業は、診療対象となる歯と診療用の器具との相互関係を観察しつつ、当該器具の姿勢、当該器具を操作する力加減等を適宜調整して行われる。
【００４１】
また、上記のような歯に対する診療を行う際には、診療対象箇所を目視するだけでは得られない又は得ることが困難な情報をも必要とする場合がある。
【００４２】
例えば、根管内位置測定機能付の根管拡大装置で根管拡大を行う際には、根管拡大用の工具であるファイルやリーマと上記根尖５１１との相互関係を確認しつつ、測定された根管内における工具先端の位置を確認して作業を行う必要がある。
【００４３】
また、診療中には、上記のように測定された根管内位置に限られず、行う作業内容に応じて、根管拡大装置の駆動状態、根管洗浄機の駆動状態、出血の状態、根管充填器の先端チップの温度、根管拡大に要している時間等、等種々の情報も認識することが必要となる。
【００４４】
そこで、本各実施形態では、上記のような患部と診療データとの双方を効率よく視認できるようにするため、患部のリアルタイム画像と診療データとを表示用の画像信号として出力可能な画像処理部と、その表示用の画像信号に基づいて表示を行う表示部とを、略同一視野範囲内で患部のリアルタイム画像と診療データとを視認可能に表示できるようにした形態について説明する。以下の実施形態においては、歯科診療、とりわけ根管治療を例として本願発明に係る実施形態の説明を行うが、本願発明の適法範囲は根管治療に限られるものではなく、患部のリアルタイム画像と診療データとの双方を効率よく視認することで診療を効率化し得る医科診療及び歯科診療のいずれにも適用することができる。
【００４５】
｛第１実施形態｝
図２は第１実施形態に係る診療表示装置１０の全体構成を示す図である。この診療表示装置１０は、根管治療工具である歯科用インスツルメント２０と、患部撮影装置３０と、パーソナルコンピュータ（以下、略して「パソコン」という）本体部４０と、表示部５０とを備えている。
【００４６】
歯科用インスツルメント２０は、歯に対する診療として根管５１２拡大を行うと共に、当該根管拡大作業中に診療データとして根管内位置測定データを出力可能に構成されている。すなわち、この歯科用インスツルメント２０は、片手で保持可能な長尺棒状の外観形状を有しており、インスツルメント本体部２２の先端部に治療器具としてのファイル２１を有している。そして、図示省略のアクチュエータ及びその駆動回路等を含む根管拡大器具（治療器具）駆動部によってファイル２１を回転させることによって、ファイル２１で根管５１２内を切削して当該根管５１２の拡大作業を行う。また、この歯科用インスツルメント２０は、患者の口腔内に配設可能な口腔電極２３を有している。そして、根管５１２内に挿入された上記ファイル２１を測定電極として、当該ファイル２１と口腔電極２３との間で電流値又は電位等の電気的特性値を測定し、当該測定された電気的特性値から根管５１２内でのファイル２１の先端部の位置を求め、これを根管内位置測定データとして出力するようになっている。なお、上記根管内位置は、根尖相当位置或は根管内での所定の基準位置（例えば、根管内での根尖狭窄部）に対する離間距離或は予め測定された根管長における相対位置として求められる。
【００４７】
患部撮影装置３０は、片手で保持可能な長尺棒状の外観形状に形成されており、先端部にＣＣＤ等の撮像素子を有する撮影部３１とＬＥＤ等の照明部３３とを有している。そして、患部撮影装置３０の先端部を患者の口腔内に配設することで、照明部３３による患部の照明及び撮影部３１による患部の撮影を行い、その患部のリアルタイム画像信号を出力可能に構成されている。
【００４８】
ここで、リアルタイム画像とは、本画像を見て診療を行うのに支障を生じ得ない範囲で即時性を満たせばよく、完全な時間の一致を要求するものではない。また、このリアルタイム画像には、各画像が人の目によって静止状態を観察できない程度の速度で連続して変化する動画の他、各画像が人の目によって静止状態を認識できる程度の速度で連続的に変化する画像も含まれる。
【００４９】
パソコン本体部４０は、ＣＰＵ、ＲＯＭ及びＲＡＭ等を備えるコンピュータによって構成されており、予め格納されたソフトウエアプログラムに従って後述する画像処理等の動作を実行するように構成されている。
【００５０】
また、このパソコン本体部４０には、キーボード等の入力装置４８が接続されており、当該入力装置４８を通じた指令に応じて各種処理動作を実行する。
【００５１】
表示部５０は、液晶ディスプレイ装置やＣＲＴディスプレイ装置、有機ＥＬ表示装置等によって構成されており、上記パソコン本体部４０から出力される表示用の画像信号に基づいた表示を行う。
【００５２】
図３は診療表示装置１０を示すブロック図であり、図４は表示部５０での表示画面例を示す図である。
【００５３】
上記歯科用インスツルメント２０は、上記のように根管５１２内でのファイル２１の先端部の位置を求める根管内位置測定部２４と、診療データ出力部２６とを有している。根管内位置測定部２４は、ＣＰＵ、ＲＯＭ及びＲＡＭ等を備える一般的なマイクロコンピュータによって構成されており、予め格納されたソフトウェアプログラムによって、根管５１２内におけるファイル２１の先端位置を求める処理を実行する。診療データ出力部２６は、根管内位置測定部２４で求められた根管５１２内におけるファイル２１の位置データが入力されると、これをパソコン本体部４０に対してデータ伝送可能な形式にして出力する出力回路等によって構成されている。
【００５４】
そして、本歯科用インスツルメント２０は、根管拡大作業中等において、根管５１２内におけるファイル２１の先端位置を求めると、この根管内位置データを診療データとしてパソコン本体部４０に向けて出力可能に構成されている。
【００５５】
患部撮影装置３０は、撮像素子及び信号処理回路等を有する撮影部３１を有しており、患部を撮影可能に構成されている。そして、患部を撮影することで得られた当該患部のリアルタイム画像信号をパソコン本体部４０に向けて出力可能に構成されている。なお、図示省略の静止画像取得操作部を患部撮影装置３０に設けることで、リアルタイム画像信号の一部を静止画像として表示或は記憶装置に保存するよう、パソコン本体部４０に向けて指令する機能を追加することもできる。
【００５６】
パソコン本体部４０は、撮影部３１から出力されるリアルタイム画像信号と診療データ出力部から出力される根管内位置データとを、表示用の画像信号として出力する画像処理部４２としての機能を有している。
【００５７】
ここでは、画像処理部４２は、診療データ画像生成部４３としての機能と、画像合成処理部４４としての機能を含んでいる。
【００５８】
診療データ画像生成部４３は、診療データである根管内位置データに基づいて、当該根管内位置を術者に視認させるための表示用の根管内位置データを生成する。表示用の根管内位置データは、術者によって当該根管内位置を視認可能な表示図形として生成されるものであれば、特に限定はされない。例えば、根管内位置を数値として表示する図形であってもよいし、根管５１２全体における相対的な位置を図形として表示するものであってもよい。ここでは、図４に示すように、根管内位置表示データは、根管長を示す目盛６１の側方に、当該根管５１２内におけるファイル２１の先端位置を示すレベルインジケータ６２が当該位置に応じて表示される表示図形６０として生成される。
【００５９】
根管内位置データは、その他、根尖相当位置までの距離表示や、根尖相当位置までの距離に対応するインピーダンス表示等で表示される図形であってもよい。なお、当該診療データ画像生成部４３に加えて、当該根管内位置を術者に聴覚的にも報知するための診療データ音響報知手段を加えてもよい。
【００６０】
画像合成処理部４４は、撮影部３１より入力されたリアルタイム画像と上記根管内位置表示データ（表示図形６０）とに基づいて、画素間演算等を行って画像合成処理を行い、リアルタイム画像に表示用の根管内位置データを重畳した画像データを生成する。そして、このように生成された画像データが、ＲＧＢ信号等の画像信号として画像処理部４２から外部に出力される。
【００６１】
表示部５０は、画像処理部４２から出力された画像信号に基づいて、患部のリアルタイム画像と根管内位置データとを重畳した画像を表示する。
【００６２】
図４では、歯科用インスツルメント２０により患部である歯５００の治療を行いつつ、患部撮影装置３０当該歯を撮影した場合において、表示部５０に表示される表示画面例を示している。同図では、歯５００の歯冠部５０２に根管口（根管の開口部）５０２ｈが形成され、当該根管口（根管の開口部）５０２ｈを通って根管５１２内にファイル２１が挿入された様子が示されている。また、表示画面の中央から離れた領域、ここでは、表示画面の右上に、根管５１２内における相対的なファイル２１の先端位置を示す表示図形６０が示されている。この表示図形６０では、歯科用インスツルメント２０による根管拡大作業に伴い、ファイル２１の先端位置が変動すると、当該変動した先端位置に応じてレベルインジケータ６２の表示対象（各レベルの表示数）が変動して表示される。従って、術者は、本表示画面を見ることで、患部である歯５００の状態と、歯５００とファイル２１との相対的な位置関係と、測定された根管５１２内におけるファイル２１の先端位置とを同一視野内で同時に確認しつつ、歯５００の診療の１つである根管拡大作業を行うことができる。
【００６３】
以上のように構成された診療表示装置１０によると、画像処理部４２と表示部５０とは、術者が略同一視野範囲内で患部である歯５００のリアルタイム画像と診療データである根管内位置データとを視認可能に表示するため、術者は、歯５００と根管内位置データとの双方を効率よく視認できる。これにより、術者は、歯５００と歯科用インスツルメント２０のファイル２１との様子を視認してそれらの位置関係、力の加減等を調整しつつ、根管内位置データを視認してファイル２１による根管拡大作業の終了位置を確認して作業を行うことができ、効率的かつ適切な診療を安全に行うことができる。
【００６４】
例えば、根管拡大作業中に、リアルタイム画像を見ることで、患部に異常が発生した場合には、当該異常を瞬時的かつ明瞭に認識可能となる。
【００６５】
特に、略同一視野範囲内で略同時に、患部である歯５００のリアルタイム画像と根管内位置データとが表示部５０内に表示されるため、術者は、それらのリアルタイム画像と根管内位置データとを略同時に視認できるため、より効率的かつ適切な診療を行うことができる。なお、図示省略の静止画像取得操作部により、リアル画像信号の一部を静止画像として表示或は保存するよう、パソコン本体部４０に向けて指令する機能を追加した場合には、リアルタイム画像と根管内位置データとを各々単独で、或は重畳表示された状態で、表示或は保存することもでき、患者への説明や後日の診療環境の確認等に活用することもできる。
【００６６】
特に、リアルタイム画像において患部が拡大されて表示されるようにするとよい。これにより、治療すべき根管の入り口（根管口）などを明瞭に認識できる等、患部の視認性向上を図ることができると共に、拡大作業中における患部への肉眼による確認頻度を減らすことができる。
【００６７】
なお、上記の患部撮影装置３０としては、画像出力機能を持つ一般的な外部撮影装置を用いることができる。例えば、外部撮影装置として口腔全体の画像あるいは治療部位全般など範囲の広い画像を撮影可能なものを用いることができる。或は、外部撮影装置としてマイクロスコープ等、根管部位等をより高精細で撮影可能なものを用いることができる。また、これらを併用することで、即ち、比較的広範囲を撮影可能な外部撮影装置と、マイクロスコープ等の比較的狭い範囲を高精度で撮影可能な撮影装置とを併用し、これらの画像を切替えてリアルタイム画像として表示させ、或は、これらの画像を合成して同時表示させるようにしてもよい。
【００６８】
以下では、上記第１実施形態に対する各種変形例について説明する。なお、以下の各変形例の説明では、既に説明したものと同様構成部分については同一符号を付してその説明を省略する。
【００６９】
図５は表示用の根管内位置データとして生成される表示図形の変形例を示す図である。この変形例では、表示用の根管内位置データは、歯５００及び根管５１２を模式的に表した歯模式図形６１Ｂ内の根管相当位置で、ファイル２１の先端位置を示すレベルインジケータ６２Ｂが当該先端位置に応じて表示される表示図形６０Ｂとして生成されている。
【００７０】
このように根管内位置データを術者にとって認識可能な表示図形としては表示する方式としては種々の態様を採用することができる。
【００７１】
図６は第２変形例に係る診療表示装置１０Ｃを示すブロック図であり、図７は本変形例に係る表示例を示す図である。
【００７２】
この第２変形例は、表示部５０に患部である歯のＸ線画像をも表示するようにしている。すなわち、この診療表示装置１０Ｃでは、予め画像処理部４２Ｃの記憶部４５（例えば、コンピュータにおけるハードディスク装置やＲＡＭ等）内にＸ線画像データがＸ線装置より転送され記憶されている。このＸ線画像データは、別途Ｘ線撮影装置によって撮影された歯のＸ線画像データであり、根管５１２の治療を目的とする場合には、当該根管５１２を含むような態様で撮像された歯のＸ線画像データである。Ｘ線撮影装置によって撮影されたＸ線画像データは、通信経路或は可搬性のある記録媒体等を通じて、本画像処理部４２Ｃに入力されて記憶部４５に記憶されている。
【００７３】
そして、上記画像合成処理部４４に対応する画像合成処理部４４Ｃは、撮影部３１より入力されたリアルタイム画像及び診療データ出力部２６より入力された根管内位置表示データと記憶部４５から読出したＸ線画像データとに基づいて、画素間演算等を行って画像合成処理を行い、リアルタイム画像に表示用の根管内位置データ及びＸ線画像データを重畳した画像データを生成する。そして、このように生成された画像データが、ＲＧＢ信号等の画像信号として画像処理部４２から外部に出力される。
【００７４】
そして、表示部５０は、画像処理部４２から出力された画像信号に基づいて、患部のリアルタイム画像と根管内位置データとＸ線画像データとを重畳した画像を表示する。
【００７５】
図７に示す例では、図４に示す表示例に対して、さらに表示画面の中央から離れた領域、ここでは、表示画面の左上に、Ｘ線画像データを示すＸ線画像図形６６Ｃを表示した例を示している。これにより、患部のリアルタイム画像と根管内位置データとＸ線画像データとが略同一視野範囲内で視認可能に表示される。
【００７６】
この第２変形例では、術者は、歯５００のリアルタイム画像信号と根管内位置データとに加えて、歯５００のＸ線画像データをも認識できる。術者は、Ｘ線画像データに基づいて、根管５１２の実際の形状、例えば、根管５１２の屈曲度合等をも認識しつつ、診療を行うことができる。従って、治療に必要な情報がより豊富になり、適切な診療を実施できる。
【００７７】
図８は第３変形例に係る診療表示装置１０Ｄを示すブロック図であり、図９は本変形例に係る表示例を示す図であり、図１０〜図１２は同表示例の部分拡大図である。
【００７８】
この第３変形例では、診療データの変形例を説明する。すなわち、上記第１実施形態では、診療データが根管内位置データである場合について説明した。
【００７９】
ところが、診療中に術者が認識することが好ましいとされる情報は、上記の根管内位置に限られない。診療内容等に応じて、その他種々の情報が追加的又は交換的に認識されることが好ましい。特に、事前に知得しておくことはできない情報、つまり、診療作業中に変動するデータについては診療中に術者が認識できるようにする必要性、有益性は高いといえる。
【００８０】
上記実施形態で説明した根管内位置データもそのような診療中に変動するデータの一例といえる。本第３変形例では、診療作業中に変動するデータの一例として、根管拡大器具駆動部２８の駆動状態データを含む場合について説明する。さらに、診療データとして、駆動停止位置及び駆動力低減位置のうち少なくとも一方を付加した例について説明する。
【００８１】
この第３変形例に係る診療表示装置１０Ｄの歯科用インスツルメント２０Ｄは、根管拡大器具駆動部２８を有している。この根管拡大器具駆動部２８は、ファイル２１を回転させるＤＣモータ等のアクチュエータ及び当該アクチュエータを回転駆動制御する駆動回路等を含んで構成されている。そして、本根管拡大器具駆動部２８は、図示省略のフットスイッチ等を通じた操作指令に応じて、当該モータの回転オンオフ、回転速度等を制御して、診療内容に応じた態様でファイル２１を回転させるように構成されている。
【００８２】
また、この根管拡大器具駆動部２８は、自己の駆動状態を示す駆動状態データを取得可能に構成されている。駆動状態データは、例えば、駆動出力値、トルク値、回転数のうち少なくとも１つを含んでいる。
【００８３】
駆動出力値、トルク値、回転数は、モータに関する周知技術を含む種々の構成により求められる。例えば、モータがＤＣモータである場合、作業中にファイル２１に印加されるトルク値（負荷トルク値）は、当該ＤＣモータに印加される電圧にトルク定数を乗じた値として求められ、回転数はＤＣモータに流れる電流に回転数定数を乗じた値として求められ、駆動出力値はこれらのトルク値及び回転数の乗算値に定数を乗じた値として求められる。これらの値は、根管５１２の拡大作業の状態に応じて当然に変動する値でもある。特に、ファイル２１にかかるトルクが変動する診療データとして検出され、表示されるように構成した場合、ファイル２１に過負荷がかかった状態を素早く検知することができるため、ファイル２１の破断、破折を未然に防ぐことも可能となり、治療の停滞を避けることができる。
【００８４】
根管拡大器具駆動部２８で取得された駆動状態データは、診療データ出力部２６を通じて外部に出力され、画像処理部４２Ｃに対応する画像処理部４２Ｄに入力される。つまり、診療データ出力部２６からは、根管内位置データと駆動状態データとが出力される。勿論、根管内位置データと駆動状態データとが別々の出力部から出力されてもよい。この場合、当該複数の出力部により診療データ出力部が構成されていることになる。
【００８５】
画像処理部４２Ｄにおいて、診療データ画像生成部４３に対応する診療データ画像生成部４３Ｄには、根管内位置データ及び駆動状態データが入力される。
【００８６】
また、この画像処理部４２Ｄに対して、術者等により、入力装置４８を通じて駆動停止位置及び駆動力低減位置が設定され、これらを診療用データとしての根管内位置データに付加して表示用の画像のデータを生成する。
【００８７】
駆動停止位置は、ファイル２１を根尖に達する手前で回転停止させるべき位置であり、根尖相当位置から症例に応じて所定距離離れた位置等として設定される。また、駆動力低減位置は、ファイル２１が根尖に近づいた状態で回転数を小さくする等して駆動力を低減させるべき位置であり、根尖相当位置から所定距離離れた位置等として設定される。これらは、術者による入力装置４８を通じた入力によって適宜設定される他、予めソフトウエアプログラムにおいて根尖相当位置から所定距離離れた位置として設定されていてもよい。要するに、本装置の製造時又は根管拡大作業開始前を問わず、予め設定された指令に基づいて根管拡大作業開始前に駆動停止位置及び駆動力低減位置が決定されればよく、その設定された指令は術者によるものであっても、本装置の設計開発者等によるものであってもよい。
【００８８】
そして、診療データ画像生成部４３Ｄは、根管内位置データ、駆動状態データ、駆動停止位置及び駆動力低減位置に基づいて、それらを術者に認識させるための表示用の診療データを生成する。表示用の診療データは、術者によって上記各情報を認識可能な表示図形として生成されるものであり、その例については次述する。
【００８９】
画像合成処理部４４は、撮影部３１より入力されたリアルタイム画像と上記診療データ画像生成部４３Ｄで生成された表示用の診療データとに基づいて、画素間演算等を行って画像合成処理を行い、リアルタイム画像に表示用の診療データを重畳した画像データを生成し、これを外部に出力する。
【００９０】
表示部５０は、画像処理部４２Ｄから出力された画像信号に基づいて、患部のリアルタイム画像と診療データとを重畳した画像を表示する。
【００９１】
図９の表示例では、患部である歯５００及びファイル２１を撮像したリアルタイム画像のうちその中央から離れた領域、ここでは、表示画面の右上に診療データを示す診療データ表示図形６０Ｄが表示されている。
【００９２】
図１０〜図１２は上記表示例のうち診療データ表示図形６０Ｄ部分を拡大した図である。図１０は根管長測定中における表示例を示しており、図１１は根管拡大作業中における表示例を示している。
【００９３】
根管内位置データは、診療データ表示図形６０Ｄの表示領域の略中央部において、根管長を示す略弧状の目盛６１Ｄａに隣設して当該根管５１２内におけるファイル２１の先端位置を示すレベルインジケータ６１Ｄｂが当該位置に応じて表示される表示図形６１Ｄとして表示されている。
【００９４】
また、この表示図形６１Ｄでは、レベルインジケータ６１Ｄｂの一部に重畳する位置に、駆動力低減位置を示す図形６１Ｄｃが付加されている。さらに、表示図形６１Ｄでは、上記レベルインジケータ６１Ｄｂのうち根尖（ＡＰＥＸ）に近い範囲にある１つを他と色を変えて表示する（例えば赤色で表示）こと等で駆動停止位置を示す図形６１Ｄｄを付加している。
【００９５】
また、駆動状態データである駆動出力値及び回転数は、表示図形６１Ｄの左下部分に数値表示図形６２Ｄとしてその表示内容に応じた単位と共に選択的に表示される。さらに駆動状態データであるトルク値は、数値表示図形６２Ｄの上方で、トルク値を示す目盛６３Ｄａに隣設してレベルインジケータ６３Ｄｂが当該トルク値に応じて表示される表示図形６３Ｄとして表示されている。
【００９６】
この第３変形例では、根管拡大器具駆動部２８の駆動状態データとしてその駆動出力値、トルク値、回転数をも認識できる。従って、術者は、根管拡大器具駆動部２８の駆動状態に応じて、歯科用インスツルメント２０の姿勢変更や力の加減等を調整しつつ、根管拡大作業を行うことができ、より適切な根管拡大作業を行うことができる。
【００９７】
さらに、術者は、駆動停止位置及び駆動力低減位置をも認識できるので、表示されるファイル２１の根管内位置と駆動停止位置及び駆動力低減位置との相対関係を認識しつつ、歯科用インスツルメント２０を操作することができるので、この点からもより適切な根管拡大作業を行うことができる。
【００９８】
なお、本変形例において、駆動状態データとして、駆動出力値、トルク値、回転数のうち少なくとも１つを表示するようにしてもよく、また、駆動状態データの表示を無くしてもよい。また、駆動停止位置及び駆動力低減位置のうちの一方又は双方の表示を無くしてもよい。さらに、これらの場合において、さらの他の情報、例えば、モータの回転方向やバッテリーの容量、患部の温度等を表示するようにしてもよい。また、これらのうちの少なくとも１つの情報を表示する場合において、根管内位置データの表示を省略してもよい。また、上記駆動停止位置或は駆動力低減位置に換えて、駆動方向反転位置としてもよく、これにより、基準として設計者又は術者によって設定された位置にファイル２１先端が到達したとき、駆動方向（ファイル２１の回転方向）を反転させることで、過剰切削を防止したり、根管壁への食込みを防止したりしてもよい。
【００９９】
勿論、診療データとして上記以外の情報が表示されてもよい。例えば、モータの停止又は反転を行わせる基準となる基準トルク値等が表示されていてもよい。以上、根管拡大器具駆動部２８がファイル２１を回転させるＤＣモータ等のアクチュエータを含む場合を基に説明してきたが、歯科用インスツルメント２０はこれに限られず、例えば、エアタービンハンドピースやエアスケーラ、超音波スケーラ、根管充填剤の加熱充填器等であってもよい。これらの場合、駆動状態データとして、エア流量、最大回転数に対する相対的回転速度、最大出力に対する相対的出力、器具温度、駆動時間等を測定し表示することができる。
【０１００】
図１３は第４変形例に係る歯科用インスツルメント２０Ｅを示す側面図であり、図１４は同歯科用インスツルメント２０Ｅを示す正面図であり、図１５は同歯科用インスツルメント２０Ｅによる撮影範囲を示す説明図であり、図１６は同歯科用インスツルメント２０Ｅを用いた場合の表示例を示す図である。
【０１０１】
第４変形例では、歯科用インスツルメント２０Ｅの変形例について説明する。すなわち、上記実施形態では、歯科用インスツルメント２０と患部撮影装置３０とが別体とされた構成であった。本変形例では、歯科用インスツルメント２０Ｅに患部撮影部を組込んだ例について説明する。
【０１０２】
すなわち、歯科用インスツルメント２０Ｅのインスツルメント本体部２２Ｅの先端部に切削工具であるファイル２１を取付固定可能な工具取付部２１Ｅが設けられ、当該工具取付部２１Ｅに工具の一種であるファイル２１が着脱自在に取付けられている。勿論、工具取付部２１Ｅには、ファイル２１以外の他の治療工具も取付可能である。そして、歯科用インスツルメント２０Ｅに内蔵されたモータによってファイル２１が回転されるようになっている。また、歯科用インスツルメント２０Ｅの先端部分のうち上記工具取付部２１Ｅ周りである基端側部分にＬＥＤ等を用いた照明部２９Ｅが取付けられている。また、歯科用インスツルメント２０Ｅの先端部であって工具取付部２１Ｅ周りに、ＣＣＤ等の撮像素子及びレンズ等の光学系を含む撮像カメラ２３Ｅが取付けられている。この撮像カメラ２３Ｅを含む部分によって、患部を撮影してその患部のリアルタイム画像信号を出力可能な患部撮影部が構成されている。ここでは、歯科用インスツルメント２０Ｅの先端部に取付けられたカメラアダプタを介して撮像カメラ２３Ｅが取付けられている。撮像カメラ２３Ｅは、その他、接着固定、ネジ固定、嵌込固定、係合固定等によって取付けられるものであってもよい。また、撮像カメラ２３Ｅは、工具取付部２１Ｅ周りに２つ取付けられており、それぞれの撮像軸２３Ｅａはファイル２１の軸２１ａ（切削工具軸）と略一致しており、撮影方向はファイル２１の先端部の指向方向と略一致している。
【０１０３】
なお、上記歯科用インスツルメント２０Ｅは、樹脂などで防湿、防水処理を施されており、オートクレーブ滅菌処理等可能な構成となっている。なお、オートクレーブ滅菌処理等を行うために、撮像カメラ２３Ｅを着脱可能な構成としておくとよい。また、この歯科用インスツルメント２０Ｅには、上記口腔電極２３が接続されると共に、撮像カメラ２３Ｅからの画像信号を出力するための信号線が、インスツルメント２０Ｅの外部に沿って又は内部に内蔵する形で備えられている（図示省略）。
【０１０４】
この歯科用インスツルメント２０Ｅを用いて根管拡大作用及び患部の撮影を行う場合、図１５に示すように、撮像カメラ２３Ｅによる撮像範囲Ｅに、ファイル２１による歯５００の接触部位が含まれることになる。
【０１０５】
従って、根管拡大作業中において、本撮像カメラ２３Ｅによって得られるリアルタイム画像は、図１６に示すように、根管５１２内にファイル２１の先端部が挿入された様子を示す。なお、複数の撮像カメラ２３Ｅを用いた場合、いずれか一方によるリアルタイム画像を表示してもよいし、双方の画像を別々に表示してもよいし、或は、双方の画像をマージして表示してもよい。
【０１０６】
よって本変形例では、術者は、根管５１２内にファイル２１の先端部が挿入された箇所を観察しつつ、ファイル２１の根管５１２内位置を確認して根管拡大作業を行うことができ、より適切な根管拡大作業を実施できる。特に、根管５１２内にファイル２１の先端部が挿入された箇所は、その位置、向き等からして直接的な目視が困難な箇所であり、このような根管内の拡大している箇所を認識できるという点で有用性がより高いといえる。
【０１０７】
図１７は第５変形例に係るヘッドマウントディスプレイ装置５０Ｆを示す図である。すなわち、本変形例では、表示部５０に変えてヘッドマウントディスプレイ装置５０Ｆを用いている。ヘッドマウントディスプレイ装置５０Ｆは、光学透過型であり、術者の２つの眼に対応する２つの眼部表示部５２Ｆを有している。各眼部表示部５２Ｆには、画像処理部４２からの画像信号がそれぞれ入力され、それぞれの眼部表示部５２Ｆは上記表示部５０の表示内容と略同じものを表示する。なお、眼部表示部５２Ｆは、視線の先に当該表示内容を虚像として表示する。そして、当該虚像に視線を合わせることで当該表示内容を視認することができ、その虚像から視線をずらすことで肉眼観察が可能になる。
【０１０８】
また、このヘッドマウントディスプレイ装置５０Ｆには、眼鏡形式で人体頭部に装着可能に構成されると共に、イヤホーン装置５４Ｆを有している。従って、術者は、イヤホーン装置を通じて音声による情報をも取得できるようになっている。この音声による情報とは、例えば、切削工具の先端が根尖位置に近づくにつれて間隔が変化する断続音等である。
【０１０９】
この変形例では、術者は、ヘッドマウントディスプレイ装置５０Ｆに表示された患部のリアルタイム画像と根管内位置データに加えて、視線を少し変更することにより、直接視による情報をも得ることができる。直接視による情報としては、例えば、患者の表情が想定される。根管治療中等においては、患者が苦痛を感じているか否かも当該作業に関する有益情報の１つである。このため、本ヘッドマウントディスプレイ装置５０Ｆを用いることで、より適切な根管拡大作業を実施できる。
【０１１０】
また、通常の視線方向に映像が提示されるので、特に表示装置を見ようとして姿勢変更等することなく、自然な姿勢で治療を実施することができる。
【０１１１】
特に、患部である歯５００と患者の表情と根管内位置の表示との全てを同時に認識できるという点でもメリットが大きい。つまり、これらの情報を大きな視線変更無しに認識できるので、効率的かつ疲労感無しに治療を行うことができる。
【０１１２】
また、歯科用インスツルメントに表示装置を搭載する必要が無く、当該歯科用インスツルメントの小型軽量化が容易となり、また、別場所に表示装置を設置する必要がないという場所が不要になるというメリットも有している。
【０１１３】
また、眼鏡を装着するのとほぼ同様の容易さで取扱い可能である。なお、元々眼鏡をかけて診療を行っている術者には、表示装置と、当該表示装置を眼鏡へ装着するためのアダプタとを備えた、ヘッドマウントディスプレイモジュールとして構成する、さらなる変形例も行いうる。
【０１１４】
図１８は第６変形例に係る診療用表示装置７０を示す斜視図である。すなわち、上記第１実施形態では、画像処理部４２としての機能がパソコン本体部４０で実現され、表示部としての機能がパソコンのモニタである表示部５０で実現される構成として説明した。本変形例は、これらの画像処理部４２及び表示部５０としての機能を物理的に１つにまとまった診療用表示装置７０として実現した例である。
【０１１５】
すなわち、診療用表示装置７０は、筐体７１の前面に表示部５０Ｇが組込まれ、筐体７１内にＣＰＵ、ＲＯＭ及びＲＡＭ等を備える一般的なマイクロコンピュータが組込まれている。また、この診療用表示装置７０に、歯科用インスツルメント２０及び患部撮影装置３０が接続されており、これらからの出力に基づいて本診療用表示装置７０に組込まれたマイクロコンピュータが上記画像処理部４２としての機能を実現するようになっている。また、この診療用表示装置７０のフロント面等の各種スイッチ等を有する入力装置４８Ｇが組込まれている。なお、本診療用表示装置７０に、根管内位置測定部２４及び根管拡大器具駆動部２８の一部又は全部の機能が組込まれていてもよい。診療用表示装置７０に根管内位置測定部２４としての一部機能が組込まれた場合、口腔電極２３は診療用表示装置７０に接続されていてもよい。
【０１１６】
図１９は第７変形例に係る診療表示装置１０Ｈを示すブロック図であり、図２０は本変形例に適用される表示部としてのヘッドマウントディスプレイ装置５０Ｈを示す図である。
【０１１７】
この変形例では、画像処理部４２に対応する画像処理部４２Ｈにおいて、画像合成処理を省略し、撮影部３１で撮像されたリアルタイム画像と、診療データ画像生成部４３で生成された表示用の根管内位置データとを別々の画像信号として出力している。
【０１１８】
また、ヘッドマウントディスプレイ装置５０Ｈは、光学透過型であり、術者の２つの眼に対応する２つの眼部表示部として第１表示部５２Ｈａ及び第２表示部５２Ｈｂを有している。第１表示部５２Ｈａ，第２表示部には、画像処理部４２Ｈからのリアルタイム画像と表示用の根管内位置データとが別々の画像信号として入力される。そして、一方の眼に対応する第１表示部５２Ｈａにおいて撮影部３１で撮像されたリアルタイム画像が表示されると共に外部からの光が術者の目に向けて透過される。また、他方の眼に対応する第２表示部５２Ｈｂにおいて表示用の根管内位置データが表示されると共に外部からの光が術者の目に向けて透過される。
【０１１９】
なお、本ヘッドマウントディスプレイ装置５０Ｈのその他の構成は、上記第１実施形態の第５変形例で説明したヘッドマウントディスプレイ装置５０Ｆと同様である。
【０１２０】
このような診療表示装置１０Ｈにおいても、術者は、略同一視野範囲内で略同時に、患部のリアルタイム画像と診療データである根管内位置データとを視認できる。つまり、リアルタイム画像と表示用の診療データとは必ずしも１つの画像として合成される必要はなく、別々の表示部に表示される場合であってもそれが同一視野内でかつ略同時に視認可能であればよい。
【０１２１】
なお、ここで説明した第１実施形態及びその各変形例は、画像処理部と表示部とが、術者が略同一視野範囲内で略同時に、患部のリアルタイム画像と診療データとを視認可能に表示するように構成しているという点で共通している。
【０１２２】
｛第２実施形態｝
図２１は第２実施形態に係る診療表示装置１１０を示すブロック図であり、図２２は交互に表示される画像を示す説明図である。なお、本実施の形態の説明において、第１実施形態で説明したものと同様構成部分については同一符号を付してその説明を省略する。
【０１２３】
本実施形態では、上記画像処理部４２に対応する画像処理部１４２において、画像合成処理部４４の代りに交互画像生成部１４４を備えている。交互画像生成部１４４は、上記リアルタイム画像と表示用の根管内位置データとを経時的に交互に表示可能な画像信号を出力する。ここで、リアルタイム画像と表示用の根管内位置データとは、画像データとして経時的な交互の合成処理を施された後に画像信号として出力される態様であってもよいし、リアルタイム画像に基づく画像信号と表示用の根管内位置データに基づく画像信号とが単に切替えられることで結果として交互表示可能な画像信号として出力される形式であってもよい。また、リアルタイム画像を表示する期間と表示用の根管内位置データを表示する期間とは略同じであっても異なっていてもよく、例えば、第１実施形態の項で説明した入力装置４８を用いて術者が好みに合わせて当該期間をそれぞれ設定する構成としてもよい。さらに、同じ入力装置４８を用いて、またはさらに操作手段（図示省略）を追加し、上記リアルタイム画像と表示用の根管内位置データとの切替表示を、術者が操作するように構成することもできる。つまり、入力装置４８又は操作手段を、上記複数の画像表示の切替指令を受付ける指令受付部として機能させ、この指令受付部を通じて受付けられる表示切替指令に応じて、画像処理部１４２がリアルタイム画像に基づく画像信号及び表示用の根管内位置データに基づく画像信号を切替えて選択的に出力する構成であってもよい。この場合、例えば術者は、根管内位置データ視認しながら根管長測定や根管治療を行い、必要に応じて適宜入力装置４８や操作手段を操作することで、根管内位置データに換えてリアルタイム画像を表示させ、リアルタイム画像の観察が済んだ時点で再度根管内位置データを表示するよう操作する、というように、術者の好みに応じた表示の切替を行うことができる。
【０１２４】
これにより、図２２に示すように、表示部５０において、リアルタイム画像１６０と、根管内位置データを示す画像１６２とが交互に表示される。
【０１２５】
本実施形態によっても、術者は、略同一姿勢で、患部である歯５００と診療データである根管内位置データとの双方を交互に視認することができ、効率的かつ適切な診療を行うことができる。
【０１２６】
｛その他、変形例｝
上記各実施形態では、主に根管拡大作業を行う装置を中心に説明したが、必ずしもそのような装置に限られないのは、前述の通りである。
【０１２７】
例えば、根管長測定装置、根管洗浄装置、根管充填装置、高周波治療器、イオン導電器等の歯科診療に用いられる種々の診療装置に適用可能である。つまり、診療装置には、根管に対する治療を行う装置だけではなく、診断を行うための装置も含まれる。また、レーザ光により歯肉や歯を削る装置、レーザ光により詰物を固める装置、レーザ光によりプリーチングを行う装置等にも適用可能である。
【０１２８】
これらの診療装置でも、診療に必要な種々の診療データと患部のリアルタイム画像とを同一視野範囲内で視認可能に表示することで、上記と同様の作用効果を得ることができる。
【０１２９】
また、本願発明を根管内視鏡に関する適用も考えることができる。すなわち、図２３に示すような根管内視鏡用インスツルメント３０Ｉに根管内視鏡プローブ２１Ｉを設け、当該プローブ２１Ｉの外周面に導電性のコーティングを施し（つまり、根管内視鏡プローブ２１Ｉにその延在方向に沿って導電性部材を取付ける）、さらにインスツルメント３０Ｉの外周又は内部に信号線を設ければ、上記ファイル２１を測定電極として根管内位置を求めたのと同様にして、根管内における根管内視鏡のプローブ２１Ｉの先端部位置を求めることが可能である。このとき、根管内位置測定部或は診療データ出力部は、インスツルメント３０Ｉの内部に設けてもよいし、インスツルメント３０Ｉの外部に設け測定信号のみを、信号線を介してプローブ２１Ｉの導電部分に印加する構成としてもよい。一方、根管内視鏡のインスツルメント３０Ｉの内部に設けられた撮影部１３０Ｉは、イメージガイド１２１Ｉによって伝送された光を受光し、画像データを生成する。このとき、プローブ２１Ｉのイメージガイド１２１Ｉを照明用ファイバとして構成することで、撮影と同時に、或は必要に応じてＯＮ／ＯＦＦを切替えて、インスツルメント３０Ｉの内部又は外部に設けた照明部（図２３では図示省略）より根管内を照明することができる。狭い根管内には外部照明光が行届き難いため、プローブ２１Ｉを用いた照明が根管内画像の撮影において有効となる。以上のようにして撮像される画像を患部のリアルタイム画像として、根管内における根管内視鏡プローブ２１Ｉの先端部位置を診療データとし、これらを同一視野で視認可能に表示するとよい。これにより、根管内の状況を示す画像とその画像が得られた根管内の位置とを対応づけて示すことができる。根管内視鏡で得られる画像からは根管内のどの位置であるかを把握しないのが通常であるが、上記構成を採用することにより、根管内のどの位置の画像であるかを一目瞭然に把握することができ、より適切な診断治療に役立てることができる。また画像を連続的に記録しておけば、根管内位置を参照して根管内画像を見ることができ、適切な診断を行うことができる。
【０１３０】
また、患部である歯を撮影する構成としては、上記のようにペン型の患部撮影装置３０を用いたり、或は、歯科用インスツルメント２０Ｅの先端部に撮像カメラ２３Ｅを取付けたりする構成の他、可動アームに撮像カメラを取付けて患部を撮影するようにしてもよい。
【０１３１】
また、上記各実施形態で説明した各機能部分は、いずれの装置部分に実装されていてもよい。例えば、画像処理部４２としての全部又は一部機能がインスツルメント２０や表示部５０に実装されていてもよい。また、根管内位置測定部２４、根管拡大器具駆動部２８及び撮影部３１等の一部機能がパソコン本体部４０、さらには表示部５０に実装されていてもよい。また、これらが１つの装置として構成されていてもよい。
【０１３２】
また、例えば、図１３の歯科用インスツルメント２０Ｅが、さらに画像処理部を備える構成、すなわち、図２４に示すように、歯科用インスツルメント２２０に上記撮影部３１及び画像処理部４２としての機能が全て実装され、当該歯科用インスツルメント２２０に接続された表示部５０において上記各表示がなされる構成であってもよい。このような歯科用インスツルメント２２０は、撮影部３１と診療データ出力部２６と画像処理部４２とを備え、画像処理部４２からリアルタイム画像と診療データとを略同一視野範内で視認可能な画像信号を出力する診療装置として把握することができる。この場合に、リアルタイム画像と診療データとは重畳してもよく、或は、時間的に交互に表示させるようにしたものであってもよい。この場合、歯科用インスツルメント２０Ｅと表示部５０Ｅとを別体とすることができるため、医師や歯科医師は、所望の機能、すなわちリアルタイム画像の撮影機能と治療機能とを備えた歯科用インスツルメント２０Ｅのみを購入し、自己が保有する一般的な表示装置を用いてリアルタイム画像と診療データとを観察することができる、経済的かつ簡便である。
【０１３３】
また、上記実施形態で説明したパソコン本体部４０に実装された画像処理部４２と表示部５０とを組合わせたもの（つまり、歯科用インスツルメント２０及び撮影部３１を省略したもの）を、診療表示装置として把握することができる。この場合、リアルタイム画像と診療データとは重畳してもよく、或は、時間的に交互に表示させるようにしたものであってもよい。
【０１３４】
また、物理的に分離した各部分間では、bluetooth等の無線で信号送信するようにしてもよい。例えば、画像処理部からの画像信号を無線でヘッドマウントディスプレイ装置に送信するようにしてもよい。この場合、画像処理部が始めから信号の無線送信機能を備えていてもよいし、無線処理部を後から接続することで無線送信機能を付加してもよい。歯科用インスツルメントから画像処理部への診療データ出力についても、或は患部撮影装置から画像処理部へのリアルタイム画像信号出力についても、同様の無線送信構成が採用され得る。これにより、術者の行動に対する制約が少なくなるという利点がある。
【０１３５】
また、患部のリアルタイム画像と診療データとは必ずしも単一の表示装置で表示される必要はなく、例えば、患部のリアルタイム画像を液晶表示装置等の表示装置で表示し、その近傍でＬＥＤ等を用いたドット方式の表示部で根管内位置データ等を表示するようにしてもよい。この場合、画像合成を行う処理回路が不要となるので、構成の簡易化を図ることができる。
【０１３６】
なお、上記各実施形態及び各変形例で説明した構成部分は、互いに相反する構成でない限り、適宜組合わせ可能である。以上の本願発明の内容は、歯科診療に限られず、例えば切削拡大器具の駆動状態を確認しながら耳の骨の切削を行う耳鼻咽喉科など、医療診察も含めた様々な分野において活用可能である。
【図面の簡単な説明】
【０１３７】
【図１】人間の歯の構造を示す断面図である。
【図２】第１実施形態に係る診療表示装置の全体構成を示す図である。
【図３】診療表示装置を示すブロック図である。
【図４】表示部での表示画面例を示す図である。
【図５】第１変形例に関し表示用の根管内位置データとして生成される表示図形の例を示す図である。
【図６】第２変形例に係る診療表示装置を示すブロック図である。
【図７】第２変形例に係る表示例を示す図である。
【図８】第３変形例に係る診療表示装置を示すブロック図である。
【図９】第３変形例に係る表示例を示す図である。
【図１０】第３変形例に係る表示例の部分拡大図である。
【図１１】第３変形例に係る表示例の部分拡大図である。
【図１２】第３変形例に係る表示例の部分拡大図である。
【図１３】第４変形例に係る歯科用インスツルメントを示す側面図である。
【図１４】同上の歯科用インスツルメントを示す正面図である。
【図１５】同上の歯科用インスツルメントによる撮影範囲を示す説明図である。
【図１６】同上の歯科用インスツルメントを用いた場合の表示例を示す図である。
【図１７】第５変形例に係るヘッドマウントディスプレイ装置を示す図である。
【図１８】第６変形例に係る診療用表示装置を示す斜視図である。
【図１９】第７変形例に係る診療表示装置を示すブロック図である。
【図２０】第７変形例に適用されるヘッドマウントディスプレイ装置を示す図である。
【図２１】第２実施形態に係る診療表示装置を示すブロック図である。
【図２２】交互に表示される画像を示す説明図である。
【図２３】その他の変形例に係る根管内視鏡用インスツルメントを示す説明図である。
【図２４】診療装置としての構成例を示すブロック図である。
【符号の説明】
【０１３８】
１０，１０Ｃ，１０Ｄ，１０Ｈ  診療表示装置、２０，２０Ｄ，２０Ｅ  歯科用インスツルメント、２１  ファイル、２１Ｉ  プローブ、２３Ｅ  撮像カメラ、２４  根管内位置測定部、２６  診療データ出力部、２８  根管拡大器具駆動部、３０  患部撮影装置、３１  撮影部、４０  パソコン本体部、４２，４２Ｃ，４２Ｄ，４２Ｈ  画像処理部、４３，４３Ｄ  診療データ画像生成部、４４，４４Ｃ  画像合成処理部、４５  記憶部、４８  入力装置、５０，５０Ｇ  表示部、５０Ｆ，５０Ｈ  ヘッドマウントディスプレイ装置、５２Ｆ  眼部表示部、５２Ｈａ  第１表示部、５２Ｈｂ  第２表示部、６０，６０Ｂ  （根管内位置の）表示図形、６０Ｄ  診療データ表示図形、６６Ｃ  Ｘ線画像図形、７０  診療用表示装置、１１０  診療表示装置、１４２  画像処理部、１４４  交互画像生成部、２２０  歯科用インスツルメント、５００  歯、５１０  歯根部、５１２  根管。
【図１】
0005483518.tif 000002
【図２】
0005483518.tif 000003
【図３】
0005483518.tif 000004
【図４】
0005483518.tif 000005
【図５】
0005483518.tif 000006
【図６】
0005483518.tif 000007
【図７】
0005483518.tif 000008
【図８】
0005483518.tif 000009
【図９】
0005483518.tif 000010
【図１０】
0005483518.tif 000011
【図１１】
0005483518.tif 000012
【図１２】
0005483518.tif 000013
【図１３】
0005483518.tif 000014
【図１４】
0005483518.tif 000015
【図１５】
0005483518.tif 000016
【図１６】
0005483518.tif 000017
【図１７】
0005483518.tif 000018
【図１８】
0005483518.tif 000019
【図１９】
0005483518.tif 000020
【図２０】
0005483518.tif 000021
【図２１】
0005483518.tif 000022
【図２２】
0005483518.tif 000023
【図２３】
0005483518.tif 000024
【図２４】
0005483518.tif 000025